(57)【要約】【課題】本発明は、表示面全体の輝度均一性を高めることが可能な表示装置を提供することを目的とする。【解決手段】本発明による表示装置は、縦方向および横方向に配列された画素を有する液晶表示パネル３と、液晶表示パネル３の背面に配設されたバックライト２とを備え、画素が配列されるピッチである画素ピッチは、縦方向および横方向の少なくとも一方において、対応する方向におけるバックライト２の輝度分布に応じて、局所的に異なることを特徴とする。【選択図】図１
2015114582.tif 000002
【特許請求の範囲】
【請求項１】
縦方向および横方向に配列された画素を有する表示パネルと、
前記表示パネルの背面に配設されたバックライトとを備え、
前記画素が配列されるピッチである画素ピッチは、前記縦方向および前記横方向の少なくとも一方において、対応する方向における前記バックライトの輝度分布に応じて、局所的に異なることを特徴とする、表示装置。
【請求項２】
前記表示パネルは、前記画素を区画する、前記縦方向および前記横方向に延設された線状の遮光領域をさらに有し、
前記遮光領域の線幅は、全て同じであることを特徴とする、請求項１に記載の表示装置。
【請求項３】
前記画素ピッチは、前記縦方向において、前記表示パネルの端部領域の方が中央領域よりも大きいことを特徴とする、請求項１または２に記載の表示装置。
【請求項４】
前記画素ピッチは、前記横方向において、前記表示パネルの端部領域の方が中央領域よりも大きいことを特徴とする、請求項１から３のいずれか１項に記載の表示装置。
【請求項５】
面状表示装置と、
前記面状表示装置上に配設され、横方向に延び縦方向に配列された配線と、前記縦方向に延び前記横方向に配設された配線とを有するタッチパネルと、
を備え、
前記配線が配列されるピッチである配線ピッチは、前記縦方向および前記横方向の少なくとも一方において、対応する方向における前記面状表示装置の輝度分布に応じて、局所的に異なることを特徴とする、表示装置。
【請求項６】
前記配線ピッチは、前記縦方向において、前記タッチパネルの端部領域の方が中央領域よりも大きいことを特徴とする、請求項５に記載の表示装置。
【請求項７】
前記配線ピッチは、前記横方向において、前記タッチパネルの端部領域の方が中央領域よりも大きいことを特徴とする、請求項５または６に記載の表示装置。
【発明の詳細な説明】
【技術分野】
【０００１】
本発明は、表示面内における輝度を調整することが可能な表示装置に関する。
【背景技術】
【０００２】
近年、従来のＣＲＴ（Cathode Ray Tube）に変わって、液晶表示パネルや有機ＥＬ（Electro Luminescence）パネルなど種々のディスプレイが実用化されている。また、これらのディスプレイに対して表示品位を向上させる要求が高まっている。
【０００３】
表示品位の１つとして、表示装置の表示面内における輝度均一性が挙げられる。例えば、液晶表示パネルは、自発光タイプではないため、バックライトなど外部からの光の供給が必要となる。従って、液晶表示パネルの表示面内における輝度均一性は、主にバックライトの輝度分布に依存している。
【０００４】
従来、バックライト自体の輝度均一性に対する改善が進められているが、液晶表示パネル全体の狭額縁化あるいは薄型化の要望があり、バックライトの輝度均一性を高めるための設計自由度は小さくなってきている。従って、バックライトの輝度均一性を高めるためには、輝度が高い領域に対して輝度を低くするように調整する必要があり、表示面内における輝度が全体的に低下するなどの問題が生じていた。
【０００５】
上記の問題の対策として、従来では、表示装置の表示面内における輝度均一性を高めるために、画素の開口部の大きさを局所的に異なるように形成された遮光層を備えた液晶表示装置が開示されている（例えば、特許文献１参照）。特許文献１では、遮光層に形成された光を遮光する線状部分の線幅を変更することによって、画素の開口部の大きさを異ならせている。
【先行技術文献】
【特許文献】
【０００６】
【特許文献１】特開２００９−１６３０６２号公報
【発明の概要】
【発明が解決しようとする課題】
【０００７】
通常、表示面内における端部領域は輝度が低下している。従って、このような輝度の低下を特許文献１で改善しようとすると、輝度が低下している端部領域における遮光層の遮光量を小さくする必要がある。具体的には、特許文献１では、端部領域に形成された線状部分の線幅を小さくすることによって、遮光量を小さくしている。
【０００８】
元来、遮光層は、液晶表示パネルを斜め方向から視認した場合における画素周辺の不要な光漏れ（隣接する画素への光漏れ）を制御する役割を有しており、遮光量を小さくするために遮光領域を小さくすると（例えば、特許文献１の線状部分の線幅を小さくすると）、不要な光漏れなどの不具合が生じる。
【０００９】
一方、上記の不要な光漏れを防止するために、端部領域における遮光量を基準として中央領域における遮光量を増やすと、液晶表示パネル全体の輝度が低下してしまうという問題がある。
【００１０】
本発明は、これらの問題を解決するためになされたものであり、表示面全体の輝度均一性を高めることが可能な表示装置を提供することを目的とする。
【課題を解決するための手段】
【００１１】
上記の課題を解決するために、本発明による表示装置は、縦方向および横方向に配列された画素を有する表示パネルと、表示パネルの背面に配設されたバックライトとを備え、画素が配列されるピッチである画素ピッチは、縦方向および横方向の少なくとも一方において、対応する方向におけるバックライトの輝度分布に応じて、局所的に異なることを特徴とする。
【発明の効果】
【００１２】
本発明によると、縦方向および横方向に配列された画素を有する表示パネルと、表示パネルの背面に配設されたバックライトとを備え、画素が配列されるピッチである画素ピッチは、縦方向および横方向の少なくとも一方において、対応する方向におけるバックライトの輝度分布に応じて、局所的に異なるため、表示面全体の輝度均一性を高めることが可能となる。
【図面の簡単な説明】
【００１３】
【図１】本発明の実施の形態１による液晶表示装置の構成の一例を示す図である。
【図２】本発明の実施の形態１によるＴＦＴアレイ基板の構成の一例を示す平面図である。
【図３】本発明の実施の形態１によるカラーフィルタ基板の構成の一例を示す平面図である。
【図４】本発明の実施の形態１による液晶表示装置の表示面を示す平面図である。
【図５】本発明の実施の形態１によるＡ１−Ａ２に対応するバックライトの輝度分布の一例を示す図である。
【図６】本発明の実施の形態１によるＡ１−Ａ２における縦方向画素ピッチの一例を示す図である。
【図７】本発明の実施の形態１による領域Ｚにおける縦方向画素ピッチの一例を示す図である。
【図８】本発明の実施の形態２による液晶表示装置の表示面を示す平面図である。
【図９】本発明の実施の形態２によるＢ１−Ｂ２に対応するバックライトの輝度分布の一例を示す図である。
【図１０】本発明の実施の形態２によるＢ１−Ｂ２における横方向画素ピッチの一例を示す図である。
【図１１】本発明の実施の形態４による表示装置の構成の一例を示す図である。
【図１２】本発明の実施の形態４によるタッチパネルの構成の一例を示す平面図である。
【図１３】本発明の実施の形態４による表示装置の表示面を示す平面図である。
【図１４】本発明の実施の形態４によるＣ１−Ｃ２に対応する画像表示装置の輝度分布の一例を示す図である。
【図１５】本発明の実施の形態４によるＣ１−Ｃ２における縦方向配線ピッチの一例を示す図である。
【図１６】本発明の実施の形態５による表示装置の表示面を示す平面図である。
【図１７】本発明の実施の形態５によるＤ１−Ｄ２に対応する画像表示装置の輝度分布の一例を示す図である。
【図１８】本発明の実施の形態５によるＤ１−Ｄ２における横方向配線ピッチの一例を示す図である。
【発明を実施するための形態】
【００１４】
本発明の実施の形態について、図面に基づいて以下に説明する。
【００１５】
＜実施の形態１＞
図１は、本発明の実施の形態１による液晶表示装置１の構成の一例を示す図である。
【００１６】
図１に示すように、液晶表示装置１は、バックライト２と、バックライト２上に配設された液晶表示パネル３と、液晶表示パネル３をバックライト２に固定するフレーム４とを備えている。
【００１７】
液晶表示パネル３は、ＴＦＴ（Thin Film Transistor : 薄膜トランジスタ）アレイ基板５と、カラーフィルタ基板６と、液晶層７と、偏光板８，９とを備えている。
【００１８】
ＴＦＴアレイ基板５は、バックライト２上に配置されている。
【００１９】
カラーフィルタ基板６は、ＴＦＴアレイ基板５上に対向して配置されている。
【００２０】
液晶層７は、ＴＦＴアレイ基板５とカラーフィルタ基板６との間に封入されている。
【００２１】
偏光板８は、バックライト２とＴＦＴアレイ基板５との間であって、ＴＦＴアレイ基板５に対向して配置されている。
【００２２】
偏光板９は、フレーム４とカラーフィルタ基板６との間であって、カラーフィルタ基板６に対向して配置されている。
【００２３】
図２は、ＴＦＴアレイ基板５の構成の一例を示す平面図である。
【００２４】
図２に示すように、ＴＦＴアレイ基板５は、ゲート配線１０と、ソース配線１１と、ＴＦＴ１２と、透明画素電極１３とを備えている。
【００２５】
ゲート配線１０は、横方向に延設され縦方向に複数配列されている。また、ソース配線１１は、ゲート配線１０と直交するように縦方向に延設され横方向に複数配列されている。すなわち、ゲート配線１０およびソース配線１１は、格子状に形成されている。ここで、横方向とは図２の紙面における横方向のことをいい、縦方向とは図２の紙面における縦方向のことをいう（以下、同様）。
【００２６】
ＴＦＴ１２は、ゲート配線１０とソース配線１１との交差点付近に形成されている。また、ＴＦＴ１２のゲート電極（図示せず）はゲート配線１０に接続され、ＴＦＴ１２のソース電極（図示せず）はソース配線１１に接続されている。
【００２７】
透明画素電極１３は、ゲート配線１０とソース配線１１とに囲まれた領域に透明電極として形成されており、１つの透明画素電極１３が１つの画素に対応している。すなわち、透明画素電極１３は、ＴＦＴアレイ基板５の縦方向および横方向に配列されている。
【００２８】
なお、以下では、ゲート配線１０の配置間隔（縦方向に画素が配列されるピッチ）を縦方向画素ピッチ１４といい、ソース配線１１の配置間隔（横方向に画素が配列されるピッチ）を横方向画素ピッチ１５という。
【００２９】
図３は、カラーフィルタ基板６の構成の一例を示す平面図である。
【００３０】
図３に示すように、カラーフィルタ基板６は、遮光領域１６，１７と、画素開口領域１８とを備えている。
【００３１】
遮光領域１６は、横方向に複数形成されており、ＴＦＴアレイ基板５のゲート配線１０に対向して形成されている。また、遮光領域１７は、遮光領域１６と直交するように縦方向に複数形成されており、ＴＦＴアレイ基板５のソース配線１１に対向して形成されている。すなわち、遮光領域１６および遮光領域１７は、画素を区画する、縦方向および横方向に延設するよう線状に形成されている。ここで、横方向とは図３の紙面における横方向のことをいい、縦方向とは図３の紙面における縦方向のことをいう（以下、同様）。
【００３２】
画素開口領域１８は、遮光領域１６と遮光領域１７とに囲まれた領域に色材（図示せず）で形成されており、ＴＦＴアレイ基板５の透明画素電極１３に対向して形成されている。すなわち、１つの画素開口領域１８は、１つの画素に対応している。
【００３３】
上述の通り、遮光領域１６，１７は、バックライト２から出射された光を遮光する機能を有しており、隣接する画素への光漏れを防止するために形成されている。
【００３４】
なお、以下では、遮光領域１６の配置間隔（縦方向に画素が配列されるピッチ）を縦方向画素ピッチ１９といい、遮光領域１７の配置間隔（横方向に画素が配列されるピッチ）を横方向画素ピッチ２０という。このように、ＴＦＴアレイ基板５およびカラーフィルタ基板６において、縦方向画素ピッチ１４と縦方向画素ピッチ１９との大きさは同じであり、横方向画素ピッチ１５と横方向画素ピッチ２０との大きさは同じである。
【００３５】
上記の構成を有する液晶表示装置１では、バックライト２から出射された光が、偏光板８、ＴＦＴアレイ基板５の透明画素電極１３、液晶層７、カラーフィルタ基板６の画素開口領域１８、および偏光板９を順に透過し、最終的にユーザーに視認される。
【００３６】
図４は、図１に示す液晶表示装置１の表示面を示す平面図である。なお、図４に示す表示面は、液晶表示パネル３の表示面のことをいう。
【００３７】
図４に示すように、表示面内の領域を縦方向（図４の紙面における縦方向）に３つの領域に分割し、上側（紙面における上側）の端部領域を領域Ｘ、中央領域を領域Ｙ、下側（紙面における下側）の端部領域を領域Ｚとしている。
【００３８】
図５は、図４のＡ１−Ａ２に対応するバックライト２の輝度分布の一例を示す図である。横軸は、Ａ１−Ａ２方向に分割された各領域Ｘ，Ｙ，Ｚを示している。また、縦軸は、バックライト２の輝度を示している。なお、図５では、領域Ｙの輝度を１００とした場合における、領域Ｘ，Ｚの相対的な輝度を示している。
【００３９】
図５に示すように、バックライト２の輝度は、領域Ｙよりも領域Ｘ，Ｚの方が低くなっていることが分かる。このような輝度分布を有するバックライト２を液晶表示パネル３の背面に配設すると、バックライト２の輝度分布に応じて、表示面内の領域Ｘ，Ｚの輝度が領域Ｙの輝度よりも低くなってしまう。
【００４０】
このような問題を解決するために、本実施の形態１では、図６に示すように縦方向画素ピッチ１４，１９をバックライト２の輝度分布に応じて段階的に変化させている。
【００４１】
図６は、図４のＡ１−Ａ２における縦方向画素ピッチ１４，１９の一例を示す図である。横軸は、Ａ１−Ａ２方向に分割された各領域Ｘ，Ｙ，Ｚを示している。また、縦軸は、縦方向画素ピッチ１４，１９を示している。
【００４２】
図６に示すように、領域Ｘ，Ｚにおける縦方向画素ピッチ１４，１９は、領域Ｙにおける縦方向画素ピッチ１４，１９に対して徐々に大きくなるように変化している。すなわち、縦方向画素ピッチ１４，１９は、図５に示すようなバックライト２の輝度分布に応じて、バックライト２の輝度が相対的に低い領域Ｘ，Ｚにおける縦方向画素ピッチ１４，１９を、バックライト２の輝度が相対的に高い領域Ｙにおける縦方向画素ピッチ１４，１９よりも大きくしている。
【００４３】
図７は、図４の領域Ｚにおける縦方向画素ピッチ２１〜２４の一例を示す図である。なお、図７の縦方向画素ピッチ２１〜２４は、縦方向画素ピッチ１４，１９に対応している。
【００４４】
図７に示すように、領域Ｚにおける各縦方向画素ピッチ２１〜２３は、領域Ｙにおける縦方向画素ピッチ２４に対して、表示面の端部であるフレーム４側に向かって徐々に（段階的に）大きくなるよう形成されている。すなわち、各縦方向画素ピッチ２１〜２３は、バックライト２の輝度が低くなるのに応じて徐々に大きくなるよう形成されている。具体的には、領域Ｚにおいて、縦方向に隣接する縦方向画素ピッチ２１〜２４が、縦方向画素ピッチ２４＜縦方向画素ピッチ２１＜縦方向画素ピッチ２２＜・・・＜縦方向画素ピッチ２３となるよう徐々に大きくする。
【００４５】
なお、図７では領域Ｚにおける縦方向画素ピッチ２１〜２４について説明したが、領域Ｘについても同様である。すなわち、領域Ｘにおける各縦方向画素ピッチは、領域Ｙにおける縦方向画素ピッチに対して、表示面の端部であるフレーム４側に向かって徐々に大きくなるよう形成されている。
【００４６】
以上のことから、本実施の形態１によれば、遮光領域１６，１７の幅を変更せず、予め測定したバックライト２の輝度分布に基づいて縦方向画素ピッチ１４，１９を変更することによって、表示面内の端部領域（図４の領域Ｘ，Ｚ）に対応する位置に配置された画素を通過するバックライト２から出射された光の量を変更させ、表示面内の中央領域（図４の領域Ｙ）と同じかあるいは同程度の輝度となるように調整することができる。すなわち、縦方向画素ピッチ１４，１９を、縦方向におけるバックライト２の輝度分布に応じて局所的に異ならせることによって、表示面全体の輝度均一性を高めることが可能となる。
【００４７】
＜実施の形態２＞
本発明の実施の形態２は、横方向の画素ピッチを、横方向におけるバックライトの輝度分布に応じて局所的に異ならせることを特徴としている。その他の構成は、実施の形態１と同様であるため、ここでは説明を省略する。
【００４８】
図８は、図１に示す液晶表示装置１の表示面を示す平面図である。なお、図８に示す表示面は、液晶表示パネル３の表示面のことをいう。
【００４９】
図８に示すように、表示面内の領域を横方向（図８の紙面における横方向）に３つの領域に分割し、左側（紙面における左側）の端部領域を領域Ｘ、中央領域を領域Ｙ、右側（紙面における右側）の端部領域を領域Ｚとしている。
【００５０】
図９は、図８のＢ１−Ｂ２に対応するバックライト２の輝度分布の一例を示す図である。横軸は、Ｂ１−Ｂ２方向に分割された各領域Ｘ，Ｙ，Ｚを示している。また、縦軸は、バックライト２の輝度を示している。なお、図９では、領域Ｙの輝度を１００とした場合における、領域Ｘ，Ｚの相対的な輝度を示している。
【００５１】
図９に示すように、バックライト２の輝度は、領域Ｙよりも領域Ｘ，Ｚの方が低くなっていることが分かる。このような輝度分布を有するバックライト２を液晶表示パネル３の背面に配設すると、バックライト２の輝度分布に応じて、表示面内の領域Ｘ，Ｚの輝度が領域Ｙの輝度よりも低くなってしまう。
【００５２】
このような問題を解決するために、本実施の形態２では、図１０に示すように横方向画素ピッチ１５，２０をバックライト２の輝度分布に応じて段階的に変化させている。
【００５３】
図１０は、図８のＢ１−Ｂ２における横方向画素ピッチ１５，２０の一例を示す図である。横軸は、Ｂ１−Ｂ２方向に分割された各領域Ｘ，Ｙ，Ｚを示している。また、縦軸は、横方向画素ピッチ１５，２０を示している。
【００５４】
図１０に示すように、領域Ｘ，Ｚにおける横方向画素ピッチ１５，２０は、領域Ｙにおける横方向画素ピッチ１５，２０に対して徐々に大きくなるように変化している。すなわち、横方向画素ピッチ１５，２０は、図９に示すようなバックライト２の輝度分布に応じて、バックライト２の輝度が相対的に低い領域Ｘ，Ｚにおける横方向画素ピッチ１５，２０を、バックライト２の輝度が相対的に高い領域Ｙにおける横方向画素ピッチ１５，２０よりも大きくしている。
【００５５】
以上のことから、本実施の形態２によれば、遮光領域１６，１７の幅を変更せず、予め測定したバックライト２の輝度分布に基づいて横方向画素ピッチ１５，２０を変更することによって、表示面内の端部領域（図８の領域Ｘ，Ｚ）に対応する位置に配置された画素を通過するバックライト２から出射された光の量を変更させ、表示面内の中央領域（図８の領域Ｙ）と同じかあるいは同程度の輝度となるように調整することができる。すなわち、横方向画素ピッチ１５，２０を、横方向におけるバックライト２の輝度分布に応じて局所的に異ならせることによって、表示面全体の輝度均一性を高めることが可能となる。
【００５６】
＜実施の形態３＞
本発明の実施の形態３は、縦方向および横方向の画素ピッチを、縦方向および横方向におけるバックライトの輝度分布に応じて局所的に異ならせることを特徴としている。その他の構成は、実施の形態１，２と同様であるため、ここでは説明を省略する。
【００５７】
具体的には、縦方向画素ピッチ１４，１９は、図５に示すような縦方向におけるバックライト２の輝度分布に応じて、バックライト２の輝度が相対的に低い領域Ｘ，Ｚにおける縦方向画素ピッチ１４，１９を、バックライト２の輝度が相対的に高い領域Ｙにおける縦方向画素ピッチ１４，１９よりも大きくしている（図６を参照）。
【００５８】
また、横方向画素ピッチ１５，２０は、図９に示すような横方向におけるバックライト２の輝度分布に応じて、バックライト２の輝度が相対的に低い領域Ｘ，Ｚにおける横方向画素ピッチ１５，２０を、バックライト２の輝度が相対的に高い領域Ｙにおける横方向画素ピッチ１５，２０よりも大きくしている（図１０を参照）。
【００５９】
以上のことから、本実施の形態３によれば、縦方向画素ピッチ１４，１９を、縦方向におけるバックライト２の輝度分布に応じて局所的に異ならせ、かつ横方向画素ピッチ１５，２０を、横方向におけるバックライト２の輝度分布に応じて局所的に異ならせることによって、表示面全体の輝度均一性を高めることが可能となる。
【００６０】
＜実施の形態４＞
図１１は、本発明の実施の形態４による表示装置２５の構成の一例を示す図である。
【００６１】
図１１に示すように、表示装置２５は、画像表示装置２６（面状表示装置）と、画像表示装置２６上（画像表示装置２６の表示面側）に配設されたタッチパネル２７とを備えている。
【００６２】
画像表示装置２６は、例えば、有機ＥＬパネルやプラズマディスプレイなどであってもよい。
【００６３】
タッチパネル２７は、例えば、図示しない両面テープや接着樹脂などによって、画像表示装置２６に固定されている。
【００６４】
図１２は、タッチパネル２７の構成の一例を示す平面図である。
【００６５】
なお、タッチパネル２７は、抵抗膜方式あるいは静電容量方式など種々の方式があるが、いかなる方式であってもよい。
【００６６】
図１２に示すように、タッチパネル２７は、縦方向配線２８と、横方向配線２９と、開口領域３０とを備えている。
【００６７】
縦方向配線２８は、縦方向に複数形成されている。すなわち、縦方向配線２８は、縦方向に延び横方向に配設されている。
【００６８】
横方向配線２９は、縦方向配線２８と直交するように横方向に複数形成されている。すなわち、横方向配線２９は、横方向に延び縦方向に配列されている。
【００６９】
ここで、縦方向とは図１２の紙面における縦方向のことをいい、横方向とは図１２の紙面における横方向のことをいう（以下、同様）。
【００７０】
開口領域３０は、縦方向配線２８と横方向配線２９とに囲まれた領域として形成されている。
【００７１】
縦方向配線２８および横方向配線２９は、画像表示装置２６の表示面のサイズが拡大するのに伴って配線抵抗の低抵抗化が求められており、低抵抗である金属配線が用いられる場合がある。縦方向配線２８および横方向配線２９が金属配線である場合において、縦方向配線２８および横方向配線２９では光が透過せず、開口領域３０のみ光を透過させることができる。
【００７２】
なお、以下では、横方向配線２９の配置間隔を縦方向配線ピッチ３１といい、縦方向配線２８の配置間隔を横方向配線ピッチ３２という。
【００７３】
上記の構成を有する表示装置２５では、画像表示装置２６から出射された光が、タッチパネル２７の開口領域３０を透過し、最終的にユーザーに視認される。
【００７４】
図１３は、図１１に示す表示装置２５の表示面を示す平面図である。なお、図１３に示す表示面は、タッチパネル２７の表示面のことをいう。
【００７５】
図１３に示すように、表示面内の領域を縦方向（図１３の紙面における縦方向）に３つの領域に分割し、上側（紙面における上側）の端部領域を領域Ｘ、中央領域を領域Ｙ、下側（紙面における下側）の端部領域を領域Ｚとしている。
【００７６】
図１４は、図１３のＣ１−Ｃ２に対応する画像表示装置２６の輝度分布の一例を示す図である。横軸は、Ｃ１−Ｃ２方向に分割された各領域Ｘ，Ｙ，Ｚを示している。また、縦軸は、画像表示装置２６の輝度を示している。なお、図１４では、領域Ｙを１００とした場合における、領域Ｘ，Ｚの相対的な輝度を示している。
【００７７】
図１４に示すように、画像表示装置２６の輝度は、領域Ｙよりも領域Ｘ，Ｚの方が低くなっていることが分かる。このような輝度分布を有する画像表示装置２６をタッチパネル２７の背面に配設すると、画像表示装置２６の輝度分布に応じて、表示面内の領域Ｘ，Ｚの輝度が領域Ｙの輝度よりも低くなってしまう。
【００７８】
このような問題を解決するために、本実施の形態４では、図１５に示すように縦方向配線ピッチ３１を画像表示装置２６の輝度分布に応じて段階的に変化させている。
【００７９】
図１５は、図１３のＣ１−Ｃ２における縦方向配線ピッチ３１の一例を示す図である。横軸は、Ｃ１−Ｃ２方向に分割された各領域Ｘ，Ｙ，Ｚを示している。また、縦軸は、縦方向配線ピッチ３１を示している。
【００８０】
図１５に示すように、領域Ｘ，Ｚにおける縦方向配線ピッチ３１は、領域Ｙにおける縦方向配線ピッチ３１に対して徐々に大きくなるように変化している。すなわち、縦方向配線ピッチ３１は、図１４に示すような画像表示装置２６の輝度分布に応じて、画像表示装置２６の輝度が相対的に低い領域Ｘ，Ｚにおける縦方向配線ピッチ３１を、画像表示装置２６の輝度が相対的に高い領域Ｙにおける縦方向配線ピッチ３１よりも大きくしている。
【００８１】
以上のことから、本実施の形態４によれば、予め測定した画像表示装置２６の輝度分布に基づいて縦方向配線ピッチ３１を変更することによって、表示面内の端部領域（図１３の領域Ｘ，Ｚ）に対応する位置に配置されたタッチパネル２７を通過する画像表示装置２６から出射された光の量を変更させ、表示面内の中央領域（図１３の領域Ｙ）と同じかあるいは同程度の輝度となるように調整することができる。すなわち、縦方向配線ピッチ３１を、縦方向における画像表示装置２６の輝度分布に応じて局所的に異ならせることによって、表示面全体の輝度均一性を高めることが可能となる。
【００８２】
＜実施の形態５＞
本発明の実施の形態５は、タッチパネルの横方向の配線ピッチを、横方向における画像表示装置２６の輝度分布に応じて局所的に異ならせることを特徴としている。その他の構成は、実施の形態４と同様であるため、ここでは説明を省略する。
【００８３】
図１６は、図１１に示す表示装置２５の表示面を示す平面図である。なお、図１６に示す表示面は、タッチパネル２７の表示面のことをいう。
【００８４】
図１６に示すように、表示面内の領域を横方向（図１６の紙面における横方向）に３つの領域に分割し、左側（紙面における左側）の端部領域を領域Ｘ、中央領域を領域Ｙ、右側（紙面における右側）の端部領域を領域Ｚとしている。
【００８５】
図１７は、図１６のＤ１−Ｄ２に対応する画像表示装置２６の輝度分布の一例を示す図である。横軸は、Ｄ１−Ｄ２方向に分割された各領域Ｘ，Ｙ，Ｚを示している。また、縦軸は、画像表示装置２６の輝度を示している。なお、図１７では、領域Ｙの輝度を１００とした場合における、領域Ｘ，Ｚの相対的な輝度を示している。
【００８６】
図１７に示すように、画像表示装置２６の輝度は、領域Ｙよりも領域Ｘ，Ｚの方が低くなっていることが分かる。このような輝度分布を有する画像表示装置２６をタッチパネル２７の背面に配設すると、画像表示装置２６の輝度分布に応じて、表示面内の領域Ｘ，Ｚの輝度が領域Ｙの輝度よりも低くなってしまう。
【００８７】
このような問題を解決するために、本実施の形態５では、図１８に示すような横方向配線ピッチ３２を画像表示装置２６の輝度分布に応じて段階的に変化させている。
【００８８】
図１８は、図１６のＤ１−Ｄ２における横方向配線ピッチ３２の一例を示す図である。横軸は、Ｄ１−Ｄ２方向に分割された各領域Ｘ，Ｙ，Ｚを示している。また、縦軸は、横方向配線ピッチ３２を示している。
【００８９】
図１８に示すように、領域Ｘ，Ｚにおける横方向配線ピッチ３２は、領域Ｙにおける横方向配線ピッチ３２に対して徐々に大きくなるように変化している。すなわち、横方向配線ピッチ３２は、図１７に示すような画像表示装置２６の輝度分布に応じて、画像表示装置２６の輝度が相対的に低い領域Ｘ，Ｚにおける横方向配線ピッチ３２を、画像表示装置２６の輝度が相対的に高い領域Ｙにおける横方向配線ピッチ３２よりも大きくしている。
【００９０】
以上のことから、本実施の形態５によれば、予め測定した画像表示装置２６の輝度分布に基づいて横方向配線ピッチ３２を変更することによって、表示面内の端部領域（図１６の領域Ｘ，Ｚ）に対応する位置に配置されたタッチパネル２７を通過する画像表示装置２６から出射された光の量を変更させ、表示面内の中央領域（図１６の領域Ｙ）と同じかあるいは同程度の輝度となるように調整することができる。すなわち、横方向配線ピッチ３２を、横方向における画像表示装置２６の輝度分布に応じて局所的に異ならせることによって、表示面全体の輝度均一性を高めることが可能となる。
【００９１】
＜実施の形態６＞
本発明の実施の形態６は、タッチパネルの縦方向および横方向の配線ピッチを、縦方向および横方向における画像表示装置２６の輝度分布に応じて局所的に異ならせることを特徴としている。その他の構成は、実施の形態４，５と同様であるため、ここでは説明を省略する。
【００９２】
具体的には、縦方向配線ピッチ３１は、図１４に示すような画像表示装置２６の輝度分布に応じて、画像表示装置２６の輝度が相対的に低い領域Ｘ，Ｚにおける縦方向配線ピッチ３１を、画像表示装置２６の輝度が相対的に高い領域Ｙにおける縦方向配線ピッチ３１よりも大きくしている（図１５を参照）。
【００９３】
また、横方向配線ピッチ３２は、図１７に示すような画像表示装置２６の輝度分布に応じて、画像表示装置２６の輝度が相対的に低い領域Ｘ，Ｚにおける横方向配線ピッチ３２を、画像表示装置２６の輝度が相対的に高い領域Ｙにおける横方向配線ピッチ３２よりも大きくしている（図１８を参照）。
【００９４】
以上のことから、本実施の形態６によれば、縦方向配線ピッチ３１を、縦方向における画像表示装置２６の輝度分布に応じて局所的に異ならせ、かつ横方向配線ピッチ３２を、横方向における画像表示装置２６の輝度分布に応じて局所的に異ならせることによって、表示面全体の輝度均一性を高めることが可能となる。
【００９５】
なお、本発明は、その発明の範囲内において、各実施の形態を自由に組み合わせたり、各実施の形態を適宜、変形、省略することが可能である。
【符号の説明】
【００９６】
１  液晶表示装置、２  バックライト、３  液晶表示パネル、４  フレーム、５  ＴＦＴアレイ基板、６  カラーフィルタ基板、７  液晶層、８，９  偏光板、１０  ゲート配線、１１  ソース配線、１２  ＴＦＴ、１３  透明画素電極、１４  縦方向画素ピッチ、１５  横方向画素ピッチ、１６  遮光領域、１７  遮光領域、１８  画素開口領域、１９  縦方向画素ピッチ、２０  横方向画素ピッチ、２１〜２４  縦方向画素ピッチ、２５  表示装置、２６  画像表示装置、２７  タッチパネル、２８  縦方向配線、２９  横方向配線、３０  開口領域、３１  縦方向配線ピッチ、３２  横方向配線ピッチ。
【図１】
2015114582.tif 000003
【図２】
2015114582.tif 000004
【図３】
2015114582.tif 000005
【図４】
2015114582.tif 000006
【図５】
2015114582.tif 000007
【図６】
2015114582.tif 000008
【図７】
2015114582.tif 000009
【図８】
2015114582.tif 000010
【図９】
2015114582.tif 000011
【図１０】
2015114582.tif 000012
【図１１】
2015114582.tif 000013
【図１２】
2015114582.tif 000014
【図１３】
2015114582.tif 000015
【図１４】
2015114582.tif 000016
【図１５】
2015114582.tif 000017
【図１６】
2015114582.tif 000018
【図１７】
2015114582.tif 000019
【図１８】
2015114582.tif 000020